(57)【要約】【課題】生活行動に対して適切な広告を提示する。【解決手段】広告システム１００は、住居における電気、水道、ガスのうち、１つ以上の使用量を検出する検出装置（スマートメータ１１０、１１０Ａ、１１０Ｂ、１１０Ｃ）と、電気、水道、ガスのうち、１つ以上の使用量に基づいて、居住者の生活行動を推定する行動推定部と、生活行動に応じて、広告情報を決定する広告決定部と、広告情報を出力する出力部と、を備える。検出装置を用いることで、実際に行われた可能性が高い生活行動を推定できる。【選択図】図１
2019191850.tif 000002
【特許請求の範囲】
【請求項１】
住居における電気、水道、ガスのうち、１つ以上の使用量を検出する検出装置と、
前記使用量に基づいて、居住者の生活行動を推定する行動推定部と、
前記生活行動に応じて、広告情報を決定する広告決定部と、
前記広告情報を出力する出力部と、
を備える広告システム。
【請求項２】
前記出力部は、前記生活行動を契機に前記広告情報を出力する請求項１に記載の広告システム。
【請求項３】
前記行動推定部は、前記生活行動として調理を推定する請求項１または２に記載の広告システム。
【請求項４】
前記広告決定部は、前記調理の頻度に応じて、前記広告情報を決定する請求項３に記載の広告システム。
【請求項５】
前記行動推定部は、前記生活行動として入浴を推定する請求項１から４のいずれか１項に記載の広告システム。
【請求項６】
前記広告決定部は、前記入浴の給湯量に応じて、前記広告情報を決定する請求項５に記載の広告システム。
【請求項７】
前記広告決定部は、前記入浴のための前記使用量に基づいて、前記居住者の人数を推定し、推定結果に応じて、前記広告情報を決定する請求項５または６に記載の広告システム。
【請求項８】
前記出力部は、前記生活行動として空調設備の使用を推定する請求項１から７のいずれか１項に記載の広告システム。
【請求項９】
前記広告決定部は、前記生活行動の時刻に応じて、前記広告情報を決定する請求項１から８のいずれか１項に記載の広告システム。
【発明の詳細な説明】
【技術分野】
【０００１】
本発明は、居住者に広告を提示する広告システムに関する。
【背景技術】
【０００２】
従来、広告を電子機器を通じて提示するにあたって、消費者の関心が高い商品やサービスに関する広告を選択、決定するために、様々な技術が開発されている。例えば、携帯端末のアプリケーションの検索履歴や利用履歴に基づいて、対象となるアプリケーションへのユーザの関心度合を推定する技術が開示されている（例えば、特許文献１）。推定された関心度合に応じてバナー広告が決定され、携帯端末に配信される。
【先行技術文献】
【特許文献】
【０００３】
【特許文献１】特許第６０６８６９６号公報
【発明の概要】
【発明が解決しようとする課題】
【０００４】
上記のように、パソコンや携帯端末などの操作履歴によってバナー広告が決定される技術は多数普及している。しかし、これらの技術は、過去の操作履歴に基づいて広告を提示するものであり、実際の生活行動に対して広告を提示することができない。
【０００５】
本発明は、このような課題に鑑み、生活行動に対して適切な広告を提示することが可能な広告システムを提供することを目的としている。
【課題を解決するための手段】
【０００６】
上記課題を解決するために、本発明の広告システムは、住居における電気、水道、ガスのうち、１つ以上の使用量を検出する検出装置と、使用量に基づいて、居住者の生活行動を推定する行動推定部と、生活行動に応じて、広告情報を決定する広告決定部と、広告情報を出力する出力部と、を備える。
【０００７】
出力部は、生活行動を契機に広告情報を出力してもよい。
【０００８】
行動推定部は、生活行動として調理を推定してもよい。
【０００９】
広告決定部は、調理の頻度に応じて、広告情報を決定してもよい。
【００１０】
行動推定部は、生活行動として入浴を推定してもよい。
【００１１】
広告決定部は、入浴の給湯量に応じて、広告情報を決定してもよい。
【００１２】
広告決定部は、入浴のための使用量に基づいて、居住者の人数を推定し、推定結果に応じて、広告情報を決定してもよい。
【００１３】
行動推定部は、生活行動として空調設備の使用を推定してもよい。
【００１４】
広告決定部は、生活行動の時刻に応じて、広告情報を決定してもよい。
【発明の効果】
【００１５】
本発明によれば、生活行動に対して適切な広告を提示することが可能となる。
【図面の簡単な説明】
【００１６】
【図１】広告システムの概略的な構成を示した説明図である。
【図２】スマートメータの概略的な構成を示した機能ブロック図である。
【図３】サーバの概略的な構成を示した機能ブロック図である。
【図４】表示装置の概略的な構成を示すブロック図である。
【図５】サーバの処理の流れを示すフローチャートである。
【図６】変形例のサーバの概略的な構成を示した機能ブロック図である。
【図７】変形例のサーバの処理の流れを示すフローチャートである。
【発明を実施するための形態】
【００１７】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
（広告システム１００）
図１は、広告システム１００の概略的な構成を示した説明図である。図１に示すように、広告システム１００は、複数のスマートメータ（検出装置）１１０と、複数のゲートウェイ機器１１２と、サーバ１１４と、基地局１１６と、表示装置１１８とを含んで構成される。
【００１９】
スマートメータ１１０は、住居１２０に設けられ、住居１２０に供給された電気、水道、ガスの使用量を導出する。図１では、１つの住居１２０に設けられたスマートメータ１１０のみを示すが、スマートメータ１１０は、複数の住居１２０それぞれに設けられる。
【００２０】
例えば、住居１２０ごとに３つのスマートメータ１１０Ａ、１１０Ｂ、１１０Ｃが設けられる。スマートメータ１１０Ａは、電気の使用量を検出する。スマートメータ１１０Ｂは、ガスの使用量を検出する。スマートメータ１１０Ｃは、水道の使用量を検出する。以下、３つのスマートメータ１１０Ａ、１１０Ｂ、１１０Ｃを区別する必要がない場合、スマートメータ１１０と称する。
【００２１】
ここでは、電気、ガス、水道の使用量を検出するメータがそれぞれ設けられる場合について説明した。ただし、１つのスマートメータ１１０が、電気、ガス、水道のうち、２つ以上の使用量を検出してもよい。
【００２２】
ゲートウェイ機器１１２は、１または複数のスマートメータ１１０のデータを収集する。サーバ１１４は、コンピュータ等で構成され、広告システム１００の管理者側に属する。また、サーバ１１４は、ゲートウェイ機器１１２を介して、１または複数のスマートメータ１１０のデータを収集する。したがって、住居１２０に配置されるスマートメータ１１０が有する情報を、サーバ１１４で一括管理することができる。
【００２３】
ここで、ゲートウェイ機器１１２とサーバ１１４との間は、例えば、基地局１１６を含む携帯電話網やＰＨＳ（Personal Handyphone System）網等の既存の通信網を通じた無線通信が実行される。また、スマートメータ１１０同士およびスマートメータ１１０とゲートウェイ機器１１２との間は、例えば、９２０ＭＨｚ帯を利用するスマートメータ用無線システム（Ｕ−Ｂｕｓ  Ａｉｒ）を通じた無線通信が実行される。また、通信規格ＩＥＥＥ８０２．１５．４／４ｅに準拠するＲＩＴ（Receiver Initiated Transmission）方式を通じた無線通信が行われてもよい。
【００２４】
表示装置１１８は、例えば、住居１２０内に設置されたパソコン、居住者１０の携帯電話、スマートフォン、ＰＨＳ端末、住居１２０内に設置されたデジタルサイネージなどで構成される。また、表示装置１１８は、例えば、防水性を有して風呂場に設けられてもよい。表示装置１１８は、基地局１１６と無線通信を行う。
【００２５】
（スマートメータ１１０）
図２は、スマートメータ１１０の概略的な構成を示した機能ブロック図である。スマートメータ１１０は、センサ１５０と、メータ通信部１５２と、メータ記憶部１５４と、メータ制御部１５６とを含んで構成される。
【００２６】
センサ１５０は、測定対象の使用量を導出するための測定値を出力する。例えば、スマートメータ１１０Ａのセンサ１５０は、電気の使用量を導出するための測定値を出力する。スマートメータ１１０Ｂのセンサ１５０は、ガスの使用量を導出するための測定値を出力する。スマートメータ１１０Ｃのセンサ１５０は、水道の使用量を導出するための測定値を出力する。
【００２７】
メータ通信部１５２は、ゲートウェイ機器１１２や他のスマートメータ１１０を介して、サーバ１１４との通信を行う。メータ記憶部１５４は、ＲＯＭ、ＲＡＭ、フラッシュメモリ、ＨＤＤ等で構成され、スマートメータ１１０に用いられるプログラムや各種データを記憶する。
【００２８】
メータ制御部１５６は、ＣＰＵやＤＳＰで構成され、メータ記憶部１５４に格納されたプログラムを用い、スマートメータ１１０全体を制御する。また、メータ制御部１５６は、導出部１７０、通信制御部１７２として機能する。
【００２９】
導出部１７０は、センサ１５０から出力された測定値に基づいて、測定対象の使用量を導出する。導出部１７０は、導出した測定対象の使用量をメータ記憶部１５４に記憶させる。例えば、スマートメータ１１０Ａの導出部１７０は、電気の使用量を導出する。スマートメータ１１０Ｂの導出部１７０は、ガスの使用量を導出する。スマートメータ１１０Ｃの導出部１７０は、水道の使用量を導出する。
【００３０】
導出部１７０は、例えば、予め設定された所定時間（１分、３０分、１時間など）ごとに使用された測定対象の使用量を導出する。また、スマートメータ１１０Ａ、１１０Ｂ、１１０Ｃごとに、所定時間が異なっていてもよい。例えば、スマートメータ１１０Ａでは、消費電力の１分値が導出される。
【００３１】
ここで、１分値は、例えば、１分ごとに測定されるワット（Ｗ）の瞬時値に１時間を乗算したワットアワー（ｗｈ）でもよい。１分値は、ワットの瞬時値を１分間分、時間積分した値であってもよい。１分値は、これらの値を１分当たりの消費電力に換算した値でもよい。
【００３２】
通信制御部１７２は、メータ通信部１５２を制御し、導出部１７０が導出した測定対象の使用量をサーバ１１４へ送信させる。通信制御部１７２は、例えば、測定対象の使用量が新たにメータ記憶部１５４に記憶される度に、測定対象の使用量をサーバ１１４に送信させてもよい。また、通信制御部１７２は、所定周期ごとに、メータ記憶部１５４から測定対象の使用量を読み出して、サーバ１１４に送信させてもよい。
【００３３】
（サーバ１１４）
図３は、サーバ１１４の概略的な構成を示した機能ブロック図である。図３に示すように、サーバ１１４は、サーバ通信部１８０と、サーバ記憶部１８２と、サーバ制御部１８４とを含んで構成される。サーバ通信部１８０は、基地局１１６、ゲートウェイ機器１１２を介してスマートメータ１１０との通信を行う。また、サーバ通信部１８０は、基地局１１６を介して、表示装置１１８との通信を行う。
【００３４】
サーバ記憶部１８２は、ＲＯＭ、ＲＡＭ、フラッシュメモリ、ＨＤＤ等で構成され、予め、居住者１０の保持する表示装置１１８について、上記通信網上の位置を特定するアドレス情報が記憶されている。サーバ記憶部１８２において、アドレス情報は、居住者１０の居住する住居１２０を特定する識別情報と関連付けられている。
【００３５】
また、サーバ記憶部１８２には、予め、複数の広告情報が記憶されている。広告情報は、表示装置１１８に表示させる可能性がある広告の画像（動画）データである。
【００３６】
サーバ制御部１８４は、ＣＰＵやＤＳＰで構成され、サーバ記憶部１８２に記憶された情報に基づいてサーバ１１４全体を制御する。また、サーバ制御部１８４は、通信制御部（出力部）１９０、行動推定部１９２、広告決定部１９４として機能する。
【００３７】
通信制御部１９０は、サーバ通信部１８０を制御し、スマートメータ１１０Ａ、１１０Ｂ、１１０Ｃそれぞれから送信された測定対象の使用量を受信させる。受信された電気、ガス、水道の使用量には、住居１２０の識別情報が付与されており、通信制御部１９０は、サーバ記憶部１８２に記憶された同一の住居１２０の識別情報に関連付けて、電気、ガス、水道の使用量をサーバ記憶部１８２に記憶させる。
【００３８】
行動推定部１９２は、サーバ記憶部１８２に記憶された電気、ガス、水道の使用量に基づいて、居住者１０の所定の生活行動を推定する。行動推定部１９２は、ガス、水道の使用量が予め設定された第１閾値よりも短時間、継続すると、料理を行っていると推定する。ガス、水道の使用量の第１閾値との比較により、料理よりも長時間の継続したガス、水道の使用が行われる入浴の準備（浴槽への給湯）を、料理と誤判定する可能性が抑制される。
【００３９】
また、例えば、行動推定部１９２は、水道の使用量を用いず、予め設定された第１閾値以下の時間だけガスが使用されると、ガスコンロによる調理が行われたと推定してもよい。この場合も、ガスの使用時間を第１閾値と比較することで、入浴や暖房のためのガスの使用を、調理と誤認する可能性が低減される。
【００４０】
また、行動推定部１９２は、ガス、水道の使用量が予め設定された第２閾値（第１閾値よりも大きい）よりも長時間、継続すると、入浴の準備（浴槽への給湯）を行っていると推定する。この場合、入浴の準備の後には入浴が行われるため、行動推定部１９２は、入浴が行われていると推定する。
【００４１】
また、行動推定部１９２は、電気の使用量から空調設備（例えば、エアコン）の使用を推定する。行動推定部１９２は、例えば、空調設備の使用が推定された季節が夏季である場合、冷房機能が使用されたと判定する。行動推定部１９２は、例えば、空調設備の使用が推定された季節が冬季である場合、暖房機能が使用されたと判定する。また、空調設備が床暖房、ファンヒータなど、冷房機能を有さないものであってもよい。この場合、行動推定部１９２は、ガスの使用量から床暖房の使用を推定する。行動推定部１９２は、電気の使用量からファンヒータの使用を推定する。行動推定部１９２は、いずれの場合も、暖房機能が使用されたと判定する。
【００４２】
また、住居１２０には、室温センサ１２２（図１参照）が設けられてもよい。室温センサ１２２は、空調設備に備え付けられてもよい。室温センサ１２２によって住居１２０内の室温が検出される。検出された室温データは、例えば、スマートメータ１１０に出力され、電気、ガス、水道の使用量と共にサーバ１１４に送信されて、サーバ記憶部１８２に記憶された同一の住居１２０の識別情報に関連付けて、電気、ガス、水道の使用量をサーバ記憶部１８２に記憶される。
【００４３】
この場合、行動推定部１９２は、電気の使用量および室温データから、空調設備の冷房機能が使用されたか、空調設備の冷房機能が使用されたかを判定する。
【００４４】
行動推定部１９２は、居住者１０の生活行動として、広告の契機となる調理、入浴、空調設備の使用のいずれかを推定すると、推定結果をサーバ記憶部１８２に記憶（保持）させる。推定結果は、対応する住居１２０の識別情報に関連付けて記憶される。
【００４５】
サーバ記憶部１８２に対し、新たに生活行動の推定結果が記憶されると、広告決定部１９４は、推定結果に関連付けられた識別情報が示す住居１２０に出力する広告情報を決定する。広告情報は、サーバ記憶部１８２に記憶されたものの中から、推定結果の内容（調理、入浴、空調設備の使用）に応じて選択、決定される。例えば、調理が推定されている場合、調理中や調理後に適した広告が選択される。入浴が推定されている場合、入浴中や入浴後に適した広告（アルコール飲料や牛乳など）が所定の規則に従って決定される。空調設備の冷房機能の使用が推定されている場合、空調設備の冷房機能の使用時に適した広告（アイス（氷菓子）、アルコール飲料など）が所定の規則に従って決定される。空調設備の暖房機能の使用が推定されている場合、空調設備の暖房機能の使用時に適した広告（鍋料理、シチューなど）が所定の規則に従って決定される。
【００４６】
また、広告決定部１９４は、調理、入浴、空調設備の使用の生活行動が行われた（推定された）時刻に応じて、広告情報を決定する。例えば、広告決定部１９４は、早朝の入浴や空調設備の冷房機能の使用が推定された場合、アルコール飲料の広告を避ける。
【００４７】
通信制御部１９０は、推定結果に対応する住居１２０の識別情報に関連付けられたアドレス情報を、サーバ記憶部１８２から読み出す。また、通信制御部１９０は、広告決定部１９４が決定した広告情報を、サーバ記憶部１８２から読み出す。通信制御部１９０は、サーバ通信部１８０を制御し、読み出したアドレス情報に向けて、読み出した広告情報を出力させる。
【００４８】
（表示装置１１８）
図４は、表示装置１１８の概略的な構成を示すブロック図である。表示装置１１８は、端末通信部２００と、端末記憶部２０２と、表示部２０４と、操作部２０６と、端末制御部２０８とを含んで構成される。
【００４９】
端末通信部２００は、基地局１１６を介して、サーバ１１４と通信を行う。端末記憶部２０２は、ＲＯＭ、ＲＡＭ、フラッシュメモリ、ＨＤＤ等で構成され、表示装置１１８に用いられるプログラムや各種データを記憶する。表示部２０４は、液晶ディスプレイや有機ＥＬ（Electro Luminescence）ディスプレイで構成される。
【００５０】
操作部２０６は、例えば、抵抗膜方式（感圧式）、静電容量方式、赤外遮光方式などのタッチパネルで構成され、表示部２０４の表面に対する居住者１０の操作入力を検知する。また、操作部２０６は、タッチパネルに限らず、押圧式のボタンなどで構成されてもよい。
【００５１】
端末制御部２０８は、ＣＰＵ（Central Processing Unit）やＤＳＰ（Digital Signal Processor）で構成され、端末記憶部２０２に格納されたプログラムを用い、表示装置１１８全体を制御する。また、端末制御部２０８は、端末通信制御部２１０、端末記憶制御部２１２、表示制御部２１４、操作受付部２１６としても機能する。
【００５２】
端末通信制御部２１０は、端末通信部２００を制御し、サーバ１１４から送信された広告情報を受信させる。端末記憶制御部２１２は、受信された広告情報を端末記憶部２０２に記憶させる。
【００５３】
表示制御部２１４は、端末記憶部２０２に新たに記憶された広告情報の画像データを、表示部２０４に表示させる。また、表示制御部２１４は、操作部２０６となるユーザインタフェースを表示部２０４に表示させる。操作受付部２１６は、操作部２０６を介して、居住者１０からの操作入力を受け付ける。
【００５４】
図５は、サーバ１１４の処理の流れを示すフローチャートである。図５に示す処理は、所定周期で繰り返し実行される。
【００５５】
（Ｓ３００）
行動推定部１９２は、サーバ記憶部１８２に記憶された電気、ガス、水道の使用量に基づいて、居住者１０の生活行動を推定する。
【００５６】
（Ｓ３０２）
行動推定部１９２は、居住者１０の生活行動として、広告の契機となる調理、入浴、空調設備の使用のいずれかを推定したか否かを判定する。広告の契機となる生活行動を推定した場合、Ｓ３０４に処理を移す。広告の契機となる生活行動を推定していない場合、当該処理を終了する。
【００５７】
（Ｓ３０４）
行動推定部１９２は、推定結果を住居１２０の識別情報に関連付けてサーバ記憶部１８２に記憶させる。
【００５８】
（Ｓ３０６）
広告決定部１９４は、推定結果に関連付けられた識別情報が示す住居１２０に出力する広告情報を決定する。
【００５９】
（Ｓ３０８）
通信制御部１９０は、サーバ通信部１８０を制御し、推定結果に関連付けられた識別情報に関連付けられたアドレス情報に向けて、決定された広告情報を出力させる。
【００６０】
上記のように、広告システム１００では、スマートメータ１１０が検出した電気、ガス、水道の使用量から推定された生活行動に基づいて、広告情報が決定、出力される。実際に行われた可能性が高い生活行動に応じて広告が決定されることから、インターネットの検索履歴に基づく広告などに比べ、適切な広告を提示することが可能となる。
【００６１】
（サーバ４１４）
図６は、変形例のサーバ４１４の概略的な構成を示した機能ブロック図である。図６に示すように、サーバ４１４は、サーバ通信部１８０と、サーバ記憶部１８２と、サーバ制御部１８４とを含んで構成される。また、サーバ制御部１８４は、通信制御部（出力部）４９０、行動推定部１９２、広告決定部４９４として機能する。サーバ４１４は、上記のサーバ１１４と通信制御部４９０、広告決定部４９４以外の構成は実質的に等しいため、ここでは、通信制御部４９０、広告決定部４９４について詳述する。
【００６２】
通信制御部４９０は、サーバ通信部１８０を制御し、スマートメータ１１０Ａ、１１０Ｂ、１１０Ｃそれぞれから送信された測定対象の使用量を受信させる。受信された電気、ガス、水道の使用量には、住居１２０の識別情報が付与されており、通信制御部４９０は、サーバ記憶部１８２に記憶された同一の住居１２０の識別情報に関連付けて、電気、ガス、水道の使用量をサーバ記憶部１８２に記憶させる。
【００６３】
広告決定部４９４は、サーバ記憶部１８２に記憶された推定結果に対して統計分析を行う。サーバ記憶部１８２には、過去の生活行動の推定結果の履歴が蓄積される。広告決定部４９４は、例えば、住居１２０ごとに、調理、入浴、空調設備の使用が行われる時刻を、統計分析から推定する（以下、推定された時刻を推定時刻という）。広告決定部４９４は、推定結果を住居１２０の識別情報に関連付けてサーバ記憶部１８２に記憶させる。
【００６４】
そして、広告決定部４９４は、推定時刻になると、推定結果に関連付けられた識別情報が示す住居１２０に出力する広告情報を決定する。広告情報は、サーバ記憶部１８２に記憶されたものの中から、推定結果の内容（調理、入浴、空調設備の使用）に応じて決定される。例えば、調理が推定されている場合、調理中や調理後に適した広告が決定される。入浴が推定されている場合、入浴中や入浴後に適した広告（アルコール飲料や牛乳など）が決定される。空調設備の冷房機能の使用が推定されている場合、空調設備の冷房機能の使用時に適した広告（アイス（氷菓子）、アルコール飲料など）が決定される。空調設備の暖房機能の使用が推定されている場合、空調設備の暖房機能の使用時に適した広告（鍋料理、シチューなど）が決定される。
【００６５】
また、広告決定部４９４は、推定時刻に応じて、広告情報を決定する。例えば、広告決定部４９４は、早朝の入浴や空調設備の冷房機能の使用が推定された場合、アルコール飲料の広告を避ける。
【００６６】
通信制御部４９０は、推定時刻になると、住居１２０の識別情報に関連付けられたアドレス情報を、サーバ記憶部１８２から読み出す。また、通信制御部４９０は、広告決定部４９４が決定した広告情報を、サーバ記憶部１８２から読み出す。通信制御部４９０は、サーバ通信部１８０を制御し、読み出したアドレス情報に向けて、読み出した広告情報を出力させる。
【００６７】
また、広告決定部４９４は、統計分析から調理の頻度を推定する。広告決定部４９４は、調理の頻度に応じて、広告情報を決定する。まず、広告決定部４９４は、住居１２０を、調理の頻度の高さで分類する。そして、広告決定部４９４は、比較的、調理の頻度が高い住居１２０の表示装置１１８には、調理の頻度が高い人向けの広告情報を出力する。広告決定部４９４は、比較的、調理の頻度が低い住居１２０の表示装置１１８には、調理の頻度が低い人向けの広告情報を出力する。
【００６８】
調理の頻度が高い人は、インドア派の可能性が高いため、インドア派向けの広告情報が決定される。また、調理の頻度が高い人は、掃除、テレビ（パソコン）ゲームを好む可能性が高いため、これらの広告情報が優先的に決定される。
【００６９】
調理の頻度が低い人は、アウトドア派の可能性が高いため、アウトドア派向けの広告情報が決定される。また、調理の頻度が低い人は、外食、スポーツを好む可能性が高いため、これらの広告情報が優先的に決定される。また、調理の頻度が低い人は、栄養ドリンクをよく飲んだり、家事代行を依頼する可能性が高かったりする場合があるため、これらの広告情報が優先的に決定される。
【００７０】
また、広告決定部４９４は、統計分析から住居１２０ごとの入浴の給湯量を推定する。広告決定部４９４は、入浴の給湯量に応じて、広告情報を決定する。まず、広告決定部４９４は、住居１２０を、入浴の給湯量の多さで分類する。そして、広告決定部４９４は、比較的、入浴の給湯量が多い住居１２０の表示装置１１８には、入浴の給湯量が多い人向けの広告情報を出力する。広告決定部４９４は、比較的、入浴の給湯量が少ない住居１２０の表示装置１１８には、入浴の給湯量が少ない人向けの広告情報を出力する。
【００７１】
入浴の給湯量が多い住居１２０では、浴槽の容量が大きかったり、湯張りの水位が高かったりするなど、富裕層や消費の多い人が居住者１０である場合がある。そのため、これらの人向けの広告情報が決定される。
【００７２】
入浴の給湯量が少ない住居１２０では、浴槽の容量が小さかったり、湯張りの水位が低かったりするなど、大衆層や消費の少ない人が居住者１０である場合がある。そのため、これらの人向けの広告情報が決定される。
【００７３】
また、広告決定部４９４は、統計分析から入浴のためのガス、水道の使用量を、住居１２０ごとに推定する。例えば、一人暮らしの場合、入浴のためのガス、水道の使用量は、一日に一回の場合が多い。一方、家族と同居している場合、入浴のためのガス、水道の使用量は、例えば、ある程度以上の時間、継続する場合が多い。
【００７４】
そこで、広告決定部４９４は、入浴のためのガス、水道の使用量に基づいて、住居１２０の居住者１０の人数を推定し、推定結果に応じて、広告情報を決定する。住居１２０の居住者１０の人数が一人であれば、一人暮らし向けの広告情報が決定される。住居１２０の居住者１０の人数が複数人であれば、家族向けの広告情報が決定される。
【００７５】
広告決定部４９４は、推定結果に関連付けられた識別情報が示す住居１２０に出力する広告情報を決定する。広告情報は、サーバ記憶部１８２に記憶されたものの中から、推定結果の内容（調理、入浴）に応じて決定される。例えば、調理が推定されている場合、調理中や調理後に適した広告が決定される。入浴が推定されている場合、入浴中や入浴後に適した広告（アルコール飲料や牛乳など）が決定される。
【００７６】
図７は、変形例のサーバ４１４の処理の流れを示すフローチャートである。図７に示す処理は、所定周期で繰り返し実行される。
【００７７】
（Ｓ５００）
広告決定部４９４は、推定時刻になったか否かを判定する。推定時刻である場合、Ｓ５０２に処理を移す。推定時刻でない場合、当該処理を終了する。
【００７８】
（Ｓ５０２）
広告決定部４９４は、推定時刻の推定元となった推定結果に対する統計分析に応じて、広告情報を決定する。
【００７９】
（Ｓ５０４）
通信制御部４９０は、サーバ通信部１８０を制御し、推定時刻の推定元となった推定結果に関連付けられた識別情報を特定する。通信制御部４９０は、特定された識別情報に関連付けられたアドレス情報に向けて、決定された広告情報を出力させる。
【００８０】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８１】
例えば、上述した実施形態および変形例では、住居１２０における電気、水道、ガスの使用量がスマートメータ１１０によって検出される場合について説明した。しかし、スマートメータ１１０は、少なくとも電気、水道、ガスの１つ以上の使用量を検出すればよい。行動推定部１９２は、少なくとも電気、水道、ガスの１つ以上の使用量に基づいて、居住者１０の生活行動を推定すればよい。
【００８２】
また、上述した実施形態および変形例では、検出装置としてスマートメータ１１０を例に挙げて説明したが、住居１２０における電気、水道、ガスのうち、１つ以上の使用量を検出できれば、他の装置が用いられてもよい。
【００８３】
また、上述した実施形態および変形例では、表示装置１１８が用いられる場合について説明した。しかし、表示装置１１８の代わりに、所謂スマート（ＡＩ）スピーカが用いられてもよい。
【００８４】
また、上述した実施形態では、通信制御部１９０が、生活行動を契機に広告情報を出力する場合について説明した。この場合、生活行動に対して迅速に広告を表示させることが可能となる。ただし、通信制御部１９０は、生活行動以外のことを契機に広告情報を出力してもよい。
【００８５】
また、上述した実施形態および変形例では、行動推定部１９２は、生活行動として調理、入浴を推定する場合について説明した。調理、入浴は、推定し易い。しかし、他の生活行動を推定してもよい。
【００８６】
また、上述した変形例では、広告決定部４９４は、調理の頻度に応じて、広告情報を決定する場合について説明した。しかし、広告決定部４９４は、調理の頻度に拘わらず、同じ広告情報を決定してもよい。
【００８７】
また、上述した変形例では、広告決定部４９４は、入浴の給湯量に応じて、広告情報を決定する場合について説明した。しかし、広告決定部４９４は、入浴の給湯量に拘わらず、同じ広告情報を決定してもよい。
【００８８】
また、上述した変形例では、広告決定部４９４は、入浴のためのガス、水道の使用量に基づいて、居住者１０の人数を推定し、推定結果に応じて、広告情報を決定する場合について説明した。しかし、広告決定部４９４は、入浴のためのガス、水道の使用量に拘わらず、同じ広告情報を決定してもよい。
【００８９】
また、上述した実施形態および変形例では、広告決定部１９４、４９４は、生活行動の時刻に応じて、広告情報を決定する場合について説明した。しかし、広告決定部１９４、４９４は、生活行動の時刻に拘わらず、同じ広告情報を決定してもよい。
【００９０】
また、上述した実施形態および変形例では、行動推定部１９２、広告決定部１９４、４９４がサーバ１１４に設けられる場合について説明した。しかし、行動推定部１９２、広告決定部１９４、４９４は、表示装置１１８に設けられてもよい。この場合、サーバ１１４は、使用量を表示装置１１８に転送する。また、表示部２０４が出力部として機能し、広告情報を表示（出力）する。
【００９１】
また、上述した実施形態および変形例では、広告システムが、スマートメータ１１０、サーバ１１４、表示装置１１８によって構成される場合について説明した。しかし、広告システムは、スマートメータ１１０のみ、または、表示装置１１８のみで構成されてもよい。すなわち、一つの装置によって広告システムが構成されてもよい。
【００９２】
また、住居１２０における電気、水道、ガスのうち、１つ以上の使用量を検出し、使用量に基づいて、居住者１０の生活行動を推定し、生活行動に応じて、広告情報を決定し、広告情報を出力する広告方法も提供される。
【００９３】
また、コンピュータをスマートメータ１１０、行動推定部１９２、広告決定部１９４、４９４、通信制御部１９０、４９０などとして機能させるプログラムや、当該プログラムを記録した、コンピュータで読み取り可能なフレキシブルディスク、光磁気ディスク、ＲＯＭ、ＣＤ、ＤＶＤ、ＢＤ等の記憶媒体も提供される。ここで、プログラムは、任意の言語や記述方法にて記述されたデータ処理手段をいう。
【産業上の利用可能性】
【００９４】
本発明は、居住者に広告を提示する広告システムに利用することができる。
【符号の説明】
【００９５】
１０  居住者
１００  広告システム
１１０、１１０Ａ、１１０Ｂ、１１０Ｃ  スマートメータ（検出装置）
１２０  住居
１９０、４９０  通信制御部（出力部）
１９２  行動推定部
１９４、４９４  広告決定部
【図１】
2019191850.tif 000003
【図２】
2019191850.tif 000004
【図３】
2019191850.tif 000005
【図４】
2019191850.tif 000006
【図５】
2019191850.tif 000007
【図６】
2019191850.tif 000008
【図７】
2019191850.tif 000009